(57)【要約】【課題】リング状の狭い収納空間においても効率よく電気基板が配置可能であって、かつ、基板間の電気接続が容易である電気基板装置を提供する。【解決手段】本電気基板装置は、レンズ鏡筒１０の後方部の後群レンズ外周部に形成されるリング状空間１ｃに収納される基板装置であって、基板面がリング状空間の中心軸（光軸Ｏと一致）との直交面に沿って配置される３枚の電気基板１１，１２，１３とからなる。電気基板１１には、コネクタ（雌）２５が実装され、電気基板１２には、コネクタ２５に嵌入可能なコネクタ（雄）２６と、その裏面側にコネクタ（雌）２７が実装され、電気基板１３には、コネクタ２７に嵌入可能なコネクタ２８が実装されている。電気基板１１，１２，１３は、重畳された状態で上記各コネクタを嵌入させて接続し、リング状空間１ｃに収納される。【選択図】    図１
2005044942.tif 000002
【特許請求の範囲】
【請求項１】
リング状空間内に配置される電気基板装置において、
基板面が上記リング状空間中心軸に交差する平面に平行に配置される第１の電気基板と、
基板面が上記第１の電気基板に重畳されて配置される第２の電気基板と、
上記第１の電気基板に設けられた第１のコネクタと、
上記第１のコネクタと接続され、上記第１の電気基板と上記第２の電気基板とを電気的に接続するための上記第２の電気基板に設けられた第２のコネクタと、
を有することを特徴とする電気基板装置。
【請求項２】
上記第１の電気基板と上記第２の電気基板の少なくともどちらかー方は、両面基板であることを特徴とする請求項１記載の電気基板装置。
【請求項３】
リング状空間内に配置される電気基板装置において、
基板面が上記リング状空間中心軸に交差する平面に平行に配置される第１の電気基板と、
基板面が上記第１の電気基板に重畳されて配置される第２の電気基板と、
上記第２の電気基板に重畳し、上記第１の電気基板とで上記第２の電気基板を挟むようにして配置される第３の電気基板と、
上記第１の電気基板に設けられた第１のコネクタと、
上記第１のコネクタと接続され、上記第１の電気基板と上記第２の電気基板とを電気的に接続するための上記第２の電気基板に設けられた第２のコネクタと、
上記第２の電気基板の面の裏面に設けられた第３のコネクタと、
上記第３のコネクタと接続され、上記第２の電気基板と上記第３の電気基板電気的に接続するための上記第３の電気基板に設けられた第４のコネクタと、
を有することを特徴とする電気基板装置。
【請求項４】
上記第２の電気基板は、両面基板であることを特徴とする請求項３記載の電気基板装置。
【発明の詳細な説明】
【０００１】
【発明の属する技術分野】
本発明は、機器（電気機器）に内蔵される電気基板装置の配置構造に関する。
【０００２】
【従来の技術】
従来、機器内のリング状空間に配置される電気基板装置として、例えば、特許文献１に提案されたものは、多角形の筒状に折り曲げた状態でレンズ鏡筒内に光軸と平行に収納されるフレキシブルプリント基板（以下、ＦＰＣと記載する）により構成される。
【０００３】
また、特許文献２乃至７に提案されたものは、レンズ鏡筒内に配置されるＦＰＣ装置であって、撮影光軸に垂直な平面上に光軸まわりの開口部を有する円環形状部とこの円環形状部の外周から突出して形成される電気部品実装部とからなるＦＰＣを有する電気基板装置に関するものである。
【０００４】
さらに、特許文献８に提案されたものもレンズ鏡筒内に配置されるＦＰＣ装置であって、撮影光軸に垂直な平面上に光軸まわりの開口部を有する円環形状部からなるＦＰＣを有しており、その円環形状部に電気部品が実装される。
【０００５】
【特許文献１】
特許文献１は、特開平７−２９４７９１号公報である。
【０００６】
【特許文献２】
特許文献２は、特開平６−２６５７６８号公報である。
【０００７】
【特許文献３】
特許文献３は、特開平６−２６５７６９号公報である。
【０００８】
【特許文献４】
特許文献４は、特開平６−２７３６５２号公報である。
【０００９】
【特許文献５】
特許文献５は、特開平６−２７３６５３号公報である。
【００１０】
【特許文献６】
特許文献６は、特開平６−２７３６５４号公報である。
【００１１】
【特許文献７】
特許文献７は、特開平６−２８９２６８号公報である。
【００１２】
【特許文献８】
特許文献８は、特開平８−３３４６７２号公報である。
【００１３】
【発明が解決しようとする課題】
しかし、特許文献１に提案されたレンズ鏡筒に内蔵される電気基板装置は、必ずしも効率のよい基板配置がとられているとはいえない。例えば、上記円環状の空間中心と対向する位置にある互いの基板同士の電気的接続（連絡）は他の基板を介して行われるため、その他の基板のスペースに余裕が無くなり、その他の基板の部品実装が出来なくなる虞が生じる。
【００１４】
また、特許文献２乃至８に提案されたレンズ鏡筒に内蔵される電気基板装置においても、電気接続を考慮した状態で効率のよい配置がなされているとはいえない。
【００１５】
本発明は、上述の問題を解決するためになされたものであって、リング状の狭い収納空間においても効率よく電気基板が配置可能であって、かつ、基板間の電気接続が容易である電気基板装置を提供することを目的とする。
【００１６】
【課題を解決するための手段】
本発明の請求項１記載の電気基板装置は、リング状空間内に配置される電気基板装置において、基板面が上記リング状空間中心軸に交差する平面に平行に配置される第１の電気基板と、基板面が上記第１の電気基板に重畳されて配置される第２の電気基板と、上記第１の電気基板に設けられた第１のコネクタと、上記第１のコネクタと接続され、上記第１の電気基板と上記第２の電気基板とを電気的に接続するための上記第２の電気基板に設けられた第２のコネクタとを有しており、上記第１の電気基板と上記第２の電気基板とは、第１のコネクタと第２のコネクタとにより電気的に接続される。
【００１７】
本発明の請求項２記載の電気基板装置は、請求項１記載の電気基板装置において、上記第１の電気基板と上記第２の電気基板の少なくともどちらかー方は、両面基板である。
【００１８】
本発明の請求項３記載の電気基板装置は、リング状空間内に配置される電気基板装置において、基板面が上記リング状空間中心軸に交差する平面に平行に配置される第１の電気基板と、基板面が上記第１の電気基板に重畳されて配置される第２の電気基板と、上記第２の電気基板に重畳し、上記第１の電気基板とで上記第２の電気基板を挟むようにして配置される第３の電気基板と、上記第１の電気基板に設けられた第１のコネクタと、上記第１のコネクタと接続され、上記第１の電気基板と上記第２の電気基板とを電気的に接続するための上記第２の電気基板に設けられた第２のコネクタと、上記第２の電気基板の面の裏面に設けられた第３のコネクタと、上記第３のコネクタと接続され、上記第２の電気基板と上記第３の電気基板電気的に接続するための上記第３の電気基板に設けられた第４のコネクタとを有しており、上記第１の電気基板と上記第２の電気基板とは、第１のコネクタと第２のコネクタとにより電気的に接続され、上記第２の電気基板と上記第３の電気基板とは、第３のコネクタと第４のコネクタとにより電気的に接続される。
【００１９】
本発明の請求項４記載の電気基板装置は、請求項３記載の電気基板装置において、上記第２の電気基板は、両面基板である。
【００２０】
【発明の実施の形態】
以下、本発明の実施の形態を図に基づいて説明する。
図１は、本発明の第１の実施形態の電気基板装置を内蔵するレンズ鏡筒の電気基板収納部周りの分解斜視図である。図２は、上記レンズ鏡筒の断面図（光軸Ｏを通る断面図）である。なお、以下の説明において、レンズ鏡筒における光軸Ｏ方向の被写体側（前群レンズ側）を前方、マウント側を後方とする。
【００２１】
本実施形態のレンズ鏡筒１０は、一眼レフカメラボディに着脱可能な交換レンズ鏡筒であり、図２に示すように外筒１と、内筒２と、中央開口部３ａおよびレンズマウント部（バヨネット部）３ｂを有する蓋部材３と、電気基板装置とを有している。このレンズ鏡筒１０は、後述する前，後群レンズの光軸である光軸Ｏを有している。
【００２２】
外筒１は、開口部１ａを有し、内部に進退可能な前群レンズ４と、前群レンズ４を進退駆動するためのレンズ駆動機構部６を内蔵している。
【００２３】
内筒２は、外筒１の後方内部にビス８により固着され、その内部に後群レンズ５が保持される。
【００２４】
蓋部材３は、内筒２の後方位置にて外筒１の後方外周部１ｂ後端面にビス９により固着されて保持される。蓋部材３の後面には、マウント接続接点群３ｃが配されている。
【００２５】
外筒１の後方外周部１ｂは、その前方に対して一段小径になっている。そして、後方外周１ｂの内周部と内筒２の外周部の間には、光軸Ｏを中心軸とするリング状空間１ｃが形成されている。そのリング状空間１ｃに上記電気基板装置が収納される。リング状空間１ｃ内には、レンズ駆動機構部６のアクチュエータ（図示せず）等に接続される電力供給、かつ、制御信号のためのレンズ駆動制御用ＦＰＣ７が導出されている。
【００２６】
本実施形態のレンズ鏡筒１０に収納される電気基板装置は、図１，２に示すように前方側から順次、光軸Ｏ方向に沿って重畳して配置される３枚の円盤状の電気基板である、第１の電気基板である硬質の電気基板１１と、第２の電気基板である硬質の電気基板１２と、第３の電気基板である硬質の電気基板１３とからなる。
【００２７】
電気基板１１は、円盤形状であって、内筒２の外周に嵌入可能な中央開口部１１ａとリング状空間１ｃの内周部に挿入可能な外周部を有し、両面実装可能な基板面をもつ。この電気基板１１には、後面側の開口部１１ａ左右対向位置に長手方向が上下方向に沿った状態の第１のコネクタである２つのコネクタ（雌）２５が実装され、上方の水平にカットされた縁の位置に、レンズ駆動制御用ＦＰＣ７のコネクタ端子部７ａが挿入可能なコネクタ２４が実装される。また、上記基板面にＩＣ２１やコイル部品（インダクタンス部品）２２等が実装される。
【００２８】
電気基板１２は、円盤形状であって、内筒２の外周に嵌入可能な中央開口部１２ａとリング状空間１ｃの内周部に挿入可能な外周部を有し、両面実装可能な基板面をもつ。この電気基板１２には、前面側の開口部１２ａ左右であって、電気基板１１側のコネクタ２５に対向する位置に第２のコネクタである２つのコネクタ（雄）２６が実装される。さらに、そのコネクタ２６実装面の後面側（すなわち、裏面側，反対側面側）の位置に第３のコネクタである２つのコネクタ（雌）２７が実装される。また、両面にＩＣ２１やチップ部品等が実装される。
【００２９】
電気基板１３は、円盤形状であって、内筒２の外周に嵌入可能な中央開口部１３ａとリング状空間１ｃの内周部に挿入可能な外周部を有し、実装可能な基板面をもつ。この電気基板１３には、前面側の開口部１３ａ左右であって、電気基板１２側コネクタ２７に対向する位置に第４のコネクタである２つのコネクタ（雄）２８が実装される。また、上記基板面にＩＣ２１やチップ部品２３等が実装される。
【００３０】
上述した電気基板１１，１２，１３は、それぞれレンズ鏡筒１０のリング状空間１ｃに光軸Ｏ方向に重ねられ、重畳した状態で挿入される。すなわち、まず、レンズ鏡筒１０側のレンズ駆動用ＦＰＣ７のコネクタ端子部７ａを基板１１のコネクタ２４に嵌入させた後、リング状空間１ｃに後方側から電気基板１１を挿入する。その挿入状態で電気基板１１を内筒２の内壁面にビスで固定しもよい。続いて、電気基板１２を同様に挿入し、電気基板１１側の２つのコネクタ２５に電気基板１２側のコネクタ２６を嵌入させて電気的接続（連絡）かつ機械的接続状態とする。さらに、電気基板１３を同様に挿入し、電気基板１２側の２つのコネクタ２７に電気基板１３側のコネクタ２８を嵌入させて電気的かつ機械的に接続（連絡）状態とする。そして、蓋部材３を外筒１の後端面にビス９により固定する。なお、蓋部材３のマウント接続接点３ｃには、その内側にて電気基板装置に接続された図示しないＦＰＣが予め接続されているものとする。
【００３１】
レンズ鏡筒１０に組み込まれた電気基板装置においては、重畳して配置された電気基板１１，１２，１３の基板面は、光軸Ｏに対して交差する直交面（平面）に沿って平行にそれぞれが平行な姿勢に保持される。
【００３２】
また、上記電気基板の挿入状態では、上述したように電気基板１１を内筒２にネジ止めしてもよいが、スポンジゴム等をリング状空間１ｃとの隙間に挿入して電気基板装置のガタつきを防止してもよい。
【００３３】
上述した本実施形態のレンズ鏡筒においては、レンズ鏡筒１０内のリング状空間に複数の硬質電気基板を重畳させて収納することが可能であり、収納スペ−ス効率が向上し、レンズ鏡筒の小型化が実現できる。さらに、上記複数の硬質電気基板の接続が重畳される基板面上のコネクタを嵌合させて行われるので接続のために必要とするスペ−スが少なく、接続部の配置が容易である。
【００３４】
なお、本実施形態のレンズ鏡筒における電気基板装置において、電気基板１２に実装される前面側コネクタ２６に対して後面側コネクタ２７は、表裏の同位置に配置されているが、コネクタ２６と２７は、その表裏位置で互いに異なる位置に配置してもよい。
【００３５】
さらに、上記電気基板装置において、電気回路の必要とする実装エリア上、電気基板１３が必要でなければ、該電気基板装置を電気基板１１と１２のみで構成してもよい。また、電気基板１１，１２，１３の基板面は、本実施形態では、リング状空間１ｃの中心軸に対して直交する面に沿って配置されているが、上記直交面に限らず、所定の傾斜角をなす傾斜面に沿って配置することも可能である。
【００３６】
また、電気基板１１，１２，１３は、必ずしも硬質の基板で構成しなくともよく、それぞれは、フレキシブルプリント電気基板でもよい。
【００３７】
【発明の効果】
上述のように本発明によれば、円環状の狭い収納スペースにおいても効率よく電気基板が配置可能であって、かつ、基板間の電気接続が容易である電気基板装置を提供することができる。
【図面の簡単な説明】
【図１】本発明の第１の実施形態の電気基板装置を内蔵するレンズ鏡筒の電気基板収納部周りの分解斜視図である。
【図２】図１のレンズ鏡筒の断面図（光軸Ｏを通る断面図）である。
【符号の説明】
１ｃ…リング状空間
１１  …電気基板（第１の電気基板）
１２  …電気基板（第２の電気基板）
１３  …電気基板（第３の電気基板）
２５  …コネクタ（第１のコネクタ）
２６  …コネクタ（第２のコネクタ）
２７  …コネクタ（第３のコネクタ）
２８  …コネクタ（第４のコネクタ）
【図１】
2005044942.tif 000003
【図２】
2005044942.tif 000004